(57)【特許請求の範囲】
【請求項１】
天井に吊り下げられる外箱内に内部発泡スチロールを備え、この内部発泡スチロールの内側に送風機及び熱交換器を備え、この外箱の下面の開口にドレンパンを嵌め込み、このドレンパンの下面の一端部に電装箱を配置した天井埋込型空気調和装置において、
前記内部発泡スチロールの内壁から突出する突起によって、前記外箱内の機器と前記電装箱内の電子部品とを接続する内部配線を前記内壁に係止する第一凹溝部を形成する一方、前記内部発泡スチロールの天井部であって前記第１凹溝部と近接する部分に、前記内部配線を挿通させる長穴を形成したことを特徴とする天井埋込型空気調和装置。
【請求項２】
前記ドレンパンの外壁部に前記第一凹溝部に連係し、前記内部配線を前記電装箱に導く第二凹溝部を設けたことを特徴とする請求項１記載の天井埋込型空気調和装置。
【請求項３】
前記第一及び第二凹溝部を上下に位置を合せて形成したことを特徴とする請求項１又は２記載の天井埋込型空気調和装置。
【発明の詳細な説明】
【０００１】
【発明の属する技術分野】
本発明は、外箱内に電装箱を備えた天井埋込型空気調和装置に関する。
【０００２】
【従来の技術】
一般に、２方向カセットや４方向カセット等と呼称される天井埋込型の空気調和装置であって、天井に吊り下げられる外箱内に内部発泡スチロールを備え、この内部発泡スチロールの内側に送風機及び熱交換器を備え、この外箱の下面の開口にドレンパンを嵌め込み、このドレンパンの下面の一端部に電装箱を配置した天井埋込型空気調和装置が知られている。
【０００３】
この種の空気調和装置では、外箱内に配置されたメカ弁、ドレンポンプ、フロートスイッチ、温度センサ等の各機器に接続された内部配線と、外箱外からの電源線、リモコン線、ユニット間オプションの信号線等の外部配線とが、電装箱内の電子部品に対し接続されている。
【０００４】
上記内部配線は内部発泡スチロールの内側を通り、ドレンパンと外箱との間を通って、電装箱側に導出されている。
【０００５】
【発明が解決しようとする課題】
しかし、従来の構成では、ドレンパンと外箱との間にも、内部発泡スチロールにも、上述した内部配線の導出経路が確保されておらず、外箱内における内部配線の引き回しが困難であった。
【０００６】
そこで、本発明の目的は、上述した従来の技術が有する課題を解消し、外箱内における内部配線の引き回しを容易にした、天井埋込型空気調和装置を提供することにある。
【０００７】
【課題を解決するための手段】
請求項１記載の発明は、天井に吊り下げられる外箱内に内部発泡スチロールを備え、この内部発泡スチロールの内側に送風機及び熱交換器を備え、この外箱の下面の開口にドレンパンを嵌め込み、このドレンパンの下面の一端部に電装箱を配置した天井埋込型空気調和装置において、前記内部発泡スチロールの内壁から突出する突起によって、前記外箱内の機器と前記電装箱内の電子部品とを接続する内部配線を前記内壁に係止する第一凹溝部を形成する一方、前記内部発泡スチロールの天井部であって前記第１凹溝部と近接する部分に、前記内部配線を挿通させる長穴を形成したことを特徴とする。
【０００８】
請求項２記載の発明は、請求項１記載のものにおいて、前記ドレンパンの外壁部に前記第一凹溝部に連係し、前記内部配線を前記電装箱に導く第二凹溝部を設けたことを特徴とする。
【０００９】
請求項３記載の発明は、請求項１又は２記載のものにおいて、前記第一及び第二凹溝部を上下に位置を合せて形成したことを特徴とする。
【００１０】
【発明の実施の形態】
以下、本発明の一実施形態を添付図面に従って説明する。
【００１１】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１２】
この室内機本体１は、被調和室の天井に複数本の吊りボルト（図示せず）を介して吊り下げられ、この室内機本体１の下側を向いた開口面には、化粧パネル９が重ね合わせて取り付けられている。
【００１３】
図２は、室内機本体１を示す分解斜視図である。
【００１４】
この室内機本体１は、板金製の外箱１１を有している。この外箱１１は、略コ字形に曲げられた外箱本体１１Ａと、この外箱本体１１Ａの両端に取り付けられた一対の端板１１Ｂとを備えて構成されている。この外箱１１の内側には断熱材１３が配置されている。この断熱材１３は、各端板１１Ｂに対応して配置された一対の発泡スチロール製の端部材（内部発泡スチロール）１３Ａと、これら端部材１３Ａ間をつなぐポリエチレン製のつなぎ部材１３Ｂとで構成されている。符号５は、略Ｕ字形に形成された熱交換器である。
【００１５】
外箱１の下面の開口内には、発泡スチロール製のドレンパン７が嵌合される。このドレンパン７の中央には、大きな吸込み開口７Ａが形成され、この開口７Ａの両側には、一対の細長い吹出し開口７Ｂが形成されている。すなわち、送風機３（図１参照）によって、吸込み開口７Ａを通じて吸い込まれた室内空気が、外箱１１の内側に配置された熱交換器５によって熱交換され、この熱交換された調和空気が、吸込み開口７Ａの両側に形成された一対の細長い吹出し開口７Ｂを通じて室内に吹き出される。
【００１６】
１７は板金製の補強金具であり、この補強金具１７は、ドレンパン７の吸込み開口７Ａの側縁部に宛われ、補強金具１７の両端がねじ（図示せず）を介して外箱１１の端板１１Ｂの上縁部１１Ｃに固定されている。この板金製の外箱１１は変形し、撓みやすい。そこで、外箱１１の略中央部に、外箱１１の外壁とドレンパン７の補強金具１７間に掛け渡された、センター金具２１が設けられ、このセンター金具２１によって、外箱１１の天板１１Ｄの反り、及び外箱１１の中央部の開きが防止されている。
【００１７】
図３は、室内機本体１に送風機３を組み込む手順を示している。
【００１８】
この送風機３は、箱形に形成された板金製の仕切り板４１に固定され、この仕切り板４１は、複数本のビスを介して、室内機本体１の補強金具１７に固定されている。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００１９】
上ケース３３Ａの両側には、図３Ｂに示すように、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定されている。
【００２０】
この仕切り板４１は、図１に示すように、上述した外箱１１の内部を上下に仕切っており、仕切り板４１の下方には一次空間４１Ａが形成され、仕切り板４１の上方には二次空間４１Ｂが形成されている。
【００２１】
上ケース３３Ａは、フランジ３６を介して、仕切り板４１に固定されるため、仕切り板４１の強度が増大し、しかも一次空間４１Ａと二次空間４１Ｂとの間のシール性を向上させることができる。
【００２２】
上記送風機３は、空気吸込み口を仕切り板４１の下の一次空間４１Ａに臨ませ、空気吹き出し口を仕切り板４１の上の二次空間４１Ｂに臨ませ、上ケース３３Ａのフランジ３６よりも上に位置するファンケースの一部３３Ｃを仕切り板４１の上の二次空間４１Ｂに臨ませている。
【００２３】
本実施形態では、図２、及び図３に示すように、ドレンパン７の下面の一端部７Ｃに電装箱５１が配置されている。
【００２４】
この電装箱５１は、図２に示すように、箱形の本体５１Ａと蓋体５１Ｂとを備えてなり、上記の本体５１Ａ内には基板５２、及び電子部品５３が収納されている。電装箱５１内の電子部品５３には、外箱１１内に配置されたメカ弁、ドレンポンプ、フロートスイッチ、温度センサ等の各種機器に接続された内部配線５５と、外箱１１外からの電源線、リモコン線、ユニット間オプションの信号線等の外部配線５７とが接続されている。
【００２５】
図４乃至図６は、断熱材１３を構成する端部材（内部発泡スチロール）１３Ａを示している。この端部材１３Ａの内壁１３Ｃには、突起１３Ｄが一体的に形成され、この突起１３Ｄには、複数本の内部配線５５を束ねて係止する第一凹溝部１３Ｅが形成されている。これら複数本の内部配線５５は、断熱材１３の内側を引き回された後、或いは図５に示す端部材１３Ａの長孔１３Ｆを貫通して、断熱材１３の内側に引き込まれた後、端部材１３Ａの内面に形成された第一凹溝部１３Ｅ内に束ねて係止される。
【００２６】
そして、この内部配線５５は、矢印Ｙの方向に引き出された後、図２に示すように、ドレンパン７の短手側の外壁部に形成された第二凹溝部７Ｄを通じて、矢印Ａ方向に沿って、ドレンパン７の下面側に引き出され、さらに、電装箱５１の本体５１Ａに形成された丸孔５４を通じて、電装箱５１の内側に引き込まれ、電子部品５３に接続される。
【００２７】
ここで、第一及び第二凹溝部１３Ｅ，７Ｄを、上下方向に対し、位置を合せて形成しておけば、第一及び第二凹溝部１３Ｅ，７Ｄの連係によって、内部配線５５を容易に引き回すことができる。
【００２８】
また、外箱１１外からの外部配線５７は、外箱１１の端板１１Ｂの上縁部１１Ｃに形成された凹溝部５８を通じ、外箱１１の内側に導入され、電装箱５１の本体５１Ａに形成された切り欠き５５を通じて、電装箱５１の内側に引き込まれ、電子部品５３に接続される。
【００２９】
本実施形態では、端部材（内部発泡スチロール）１３Ａの内側に、内部配線５５を束ねて係止する第一凹溝部１３Ｅを備えたため、この内部配線５５の引き回しが容易になると共に、乱雑な配線が防止される。
【００３０】
図７は、電装箱５１周りの配線引き回しを示す。
【００３１】
この電装箱５１は一対の固定片５１Ｃを備え、この固定片５１Ｃを介して、上記の補強金具１７にねじ固定されている。この電装箱５１が配置された側の、外箱１１の端板１１Ｂの上縁部１１Ｃには、補強金具１８が取り付けられており、この補強金具１８が取り外されると、この上縁部１１Ｃに形成された凹溝部５８内に外部配線５７が臨んでいる。
【００３２】
上記構成では、送風機３のモータ３１から延びる内部配線５５が、複数の止め具６１を介して補強金具１７に固定されている。
【００３３】
メンテナンス時に、ドレンパン７を外箱１１から取り外す場合、まず、モータ３１から延びる内部配線５５の複数の止め具６１を外し、ついで、端板１１Ｂの上縁部１１Ｃの補強金具１８を取り外し、端板１１Ｂの上縁部１１Ｃに形成された凹溝部５８内に外部配線５７を露出させる。
【００３４】
つぎに、電装箱５１の固定片５１Ｃのねじを外す。この状態では、この電装箱５１は、内部配線５５と外部配線５７以外に接続されておらず、しかも、これらの各配線５５，５７は、図４の紙面上方に対して拘束を受けていない。従って、電装箱５１は、各配線５５，５７の長さの余裕に対応し、その長さの範囲内において、例えば、ドレンパン７の下面から完全に外れる位置まで、横方向に対して自由に移動させることができる。
【００３５】
上記構成では、この電装箱５１を、ドレンパン７の下面から完全に外側に外れる位置まで横方向に移動させた後、ドレンパン７を外箱１１から取り外せばよいため、従来のように、メンテナンス時に、電装箱と内部配線、及び外部配線の接続を外し、電装箱を一旦、取り除いた後に、ドレンパンを外箱から取り外す、といった面倒な作業が不要になる。従って、天井埋込型空気調和装置のように、その作業が高所作業となる場合であっても、メンテナンスの容易性、及び安全性を十分に確保することができる。
【００３６】
以上、一実施の形態に基づいて本発明を説明したが、本発明は、これに限定されるものでないことは明らかである。
【００３７】
【発明の効果】
本発明では、内部配線を係止する第一凹溝部を、内部発泡スチロールの内側に備えたため、この内部発泡スチロール内での内部配線の引き回しが容易になると共に、乱雑な配線が防止される。
【図面の簡単な説明】
【図１】本発明による天井埋込型空気調和装置の一実施形態を示す断面図である。
【図２】空気調和機本体の分解斜視図である。
【図３】空気調和機本体とドレンパンと送風機の分解斜視図である。
【図４】内部発泡スチロールを示す上面図である。
【図５】内部発泡スチロールの内面を示す図である。
【図６】第一凹溝部を示す図である。
【図７】空気調和機本体の下面を示す図である。
【符号の説明】
１  室内機本体
３  送風機
５  熱交換器
７  ドレンパン
７Ｃ  一端部
７Ｄ  第二凹溝部
１１  外箱
１３Ａ  内部発泡スチロール
１３Ｅ  第一凹溝部
５１  電装箱
５３  電子部品
５５  内部配線
５７  外部配線
【図１】
0003895999.tif 000002
【図２】
0003895999.tif 000003
【図３】
0003895999.tif 000004
【図４】
0003895999.tif 000005
【図５】
0003895999.tif 000006
【図６】
0003895999.tif 000007
【図７】
0003895999.tif 000008